(57)【要約】【課題】広範囲に亘って均一な育成環境を提供することができるとともに、高い施工性を有し、かつ、植栽を安定的に保持することができる壁面緑化システムを提供する。【解決手段】  壁面緑化システム１は、ｎ個の壁面緑化ユニット１２が、５〜１２０ｍｍの間隔ＤでＺ方向に離間しており、各壁面緑化ユニット１２が、表面１４ａに穴部１５が設けられたロックウールシート１４と、ロックウールシート１４の穴部１５に収容された植栽３０とを有し、ロックウールシート１４が、高さＨが８０〜１９０ｍｍであり、厚さＴが６０〜１５０ｍｍであり、乾燥時密度が９０〜１９０ｋｇ／ｍ３であり、１リットル当たり最大で０．４５〜０．８５リットルの水を保水することができ、Ｚ方向において隣り合う上側のロックウールシート１４の下面１４ｄから下側のロックウールシート１４の上面１４ｃまで自由落下で水が移動する。【選択図】図５
2019017290.tif 000002
【特許請求の範囲】
【請求項１】
構造物の側面に設置され、かつ、前記構造物の側面に近接するとともに前記構造物の高さ方向に沿って配置された複数の壁面緑化ユニットを備える壁面緑化システムであって、
前記複数の壁面緑化ユニットが、５〜１２０ｍｍの範囲で離間しており、
前記各壁面緑化ユニットが、前記側面側とは反対の側に少なくとも一つの穴部が設けられた植栽基盤と、前記植栽基盤の前記穴部に収容された植栽とを有し、
前記植栽基盤が、前記構造物の高さ方向における長さが８０〜１９０ｍｍの範囲であり、厚さが６０〜１５０ｍｍの範囲であり、乾燥時密度が９０〜３００ｋｇ／ｍ３の範囲であり、１リットル当たり最大で０．４５〜０．８５リットルの水を保水することができ、
前記構造物の高さ方向において隣り合う２つの前記植栽基盤のうちの上側の植栽基盤の下面から下側の植栽基盤の上面まで自由落下で水が移動する、壁面緑化システム。
【請求項２】
前記植栽基盤がロックウールシートである、請求項１に記載の壁面緑化システム。
【請求項３】
前記植栽基盤が１４０〜１８０ｋｇ／ｍ３の乾燥時密度を有する、請求項１または２に記載の壁面緑化システム。
【請求項４】
２〜２０個の前記壁面緑化ユニットを備える、請求項１〜３のいずれか一項に記載の壁面緑化システム。
【請求項５】
前記壁面緑化ユニットが、前記植栽基盤の少なくとも側面を被覆する表面被覆材をさらに備える、請求項１〜４のいずれか一項に記載の壁面緑化システム。
【発明の詳細な説明】
【技術分野】
【０００１】
本発明は、壁面緑化システムに関する。
【背景技術】
【０００２】
近年、建築物等の壁面等を緑化する壁面緑化において、意匠性向上の要求が高まっている。壁面緑化システムの美観を高める方策の一つとして、下記特許文献１に示されているように多種の植栽を一つのシステムで育成する方策の他に、広範囲の壁面全体に同一種類の植栽を配置する方策が考えられる。
【先行技術文献】
【特許文献】
【０００３】
【特許文献１】特許６０５２３８３号公報
【発明の概要】
【発明が解決しようとする課題】
【０００４】
広範囲の壁面全体に同一種類の植栽を配置する場合には、同一種類の植栽が均一に生育することで美観がより高まるため、配置される全ての植栽に対して可能な限り均一な生育環境を提供することが求められる。また、壁面に対して広範囲に施工する点から高い施工性を有する壁面緑化システムが求められる。さらに、植栽が高い位置にも配置され得ることから、特に高い位置にある植栽が落下する事態を未然に防ぐために、植栽を安定的に保持できる壁面緑化システムが求められる。
【０００５】
本発明は、広範囲に亘って均一な育成環境を提供することができるとともに、高い施工性を有し、かつ、植栽を安定的に保持することができる壁面緑化システムを提供することを目的とする。
【課題を解決するための手段】
【０００６】
本発明の一形態に係る壁面緑化システムは、構造物の側面に設置され、かつ、構造物の側面に近接するとともに構造物の高さ方向に沿って配置された複数の壁面緑化ユニットを備える壁面緑化システムであって、複数の壁面緑化ユニットが、５〜１２０ｍｍの範囲で離間しており、各壁面緑化ユニットが、側面側とは反対の側に少なくとも一つの穴部が設けられた植栽基盤と、植栽基盤の穴部に収容された植栽とを有し、植栽基盤が、構造物の高さ方向における長さが８０〜１９０ｍｍの範囲であり、厚さが６０〜１５０ｍｍの範囲であり、乾燥時密度が９０〜３００ｋｇ／ｍ３の範囲であり、１リットル当たり最大で０．４５〜０．８５リットルの水を保水することができ、構造物の高さ方向において隣り合う２つの植栽基盤のうちの上側の植栽基盤の下面から下側の植栽基盤の上面まで自由落下で水が移動する。
【０００７】
上記壁面緑化システムにおいては、植栽基盤が、上記の寸法、乾燥時密度および保水能を有し、上側の植栽基盤の下面から下側の植栽基盤の上面まで自由落下で水が移動する。そのため、壁面緑化システムは、複数の植栽基盤のそれぞれにおいて均一な育成環境を実現することができるとともに、高い施工性を有し、かつ、植栽を安定的に保持することができる。
【０００８】
他の形態に係る壁面緑化システムにおいては、植栽基盤がロックウールシートである。
【０００９】
他の形態に係る壁面緑化システムにおいては、植栽基盤が１４０〜１８０ｋｇ／ｍ３の乾燥時密度を有する。
【００１０】
他の形態に係る壁面緑化システムは、２〜２０個の壁面緑化ユニットを備える。
【００１１】
他の形態に係る壁面緑化システムにおいては、壁面緑化ユニットが、植栽基盤の少なくとも側面を被覆する表面被覆材をさらに備える。
【発明の効果】
【００１２】
本発明によれば、広範囲に亘って均一な育成環境を提供することができるとともに、高い施工性を有し、かつ、植栽を安定的に保持することができる壁面緑化システムが提供される。
【図面の簡単な説明】
【００１３】
【図１】図１は、実施形態に係る壁面緑化システムの構成を示す分解斜視図である。
【図２】図２は、図１に示した壁面緑化ユニットを示す概略斜視図である。
【図３】図３は、図２に示したロックウールシートを示す概略斜視図である。
【図４】図４は、図２の壁面緑化ユニットのＩＶ−ＩＶ線断面図である。
【図５】図５は、図１の壁面緑化システムにおいて複数段に積まれた壁面緑化ユニットを示す図である。
【図６】図６は、実施例に係る各壁面緑化システムの評価結果を示した表である。
【図７】図７は、比較例および参考例に係る各壁面緑化システムの評価結果を示した表である。
【発明を実施するための形態】
【００１４】
以下、本発明を実施するための形態について、添付図面を参照しつつ詳細に説明する。なお、同一又は同等の要素については同一の符号を付し、説明が重複する場合にはその説明を省略する。
【００１５】
図１に示すように、実施形態に係る壁面緑化システム１は、構造物の側面１０に近接して設置される。本明細書における「構造物」には、人の居住を目的とした建築物や建造物と、人の居住を目的としない塔や橋梁等の構築物も含まれる。構造物の側面１０は、たとえば建築物又は構築物の壁面である。建築物又は構築物の壁面は、建築物又は構築物（たとえば、マンション、立体駐車場、スタジアム、ショッピングモール等）にみられる傾斜角度８０度以上９０度以下の斜面と定義することができる。なお、構造物の側面１０は、建築物の壁面に限らず、土木構造物の法面などであってもよい。土木構造物の法面は、土木構造物（たとえば、住宅造成地、道路、ダム等）にみられる傾斜角度３０度以上８０度未満の斜面と定義することができる。より高い意匠性をもつ態様の緑化が求められることから、実施形態に係る壁面緑化システム１は、建築物又は構築物の壁面に好適に用いられる。
【００１６】
本実施形態では、構造物の側面１０は鉛直方向に沿って延びる面である。以下では、説明の便宜上、側面１０の法線方向をＸ方向とも称し、側面１０に沿う水平方向をＹ方向とも称し、側面１０に沿う高さ方向をＺ方向とも称す。
【００１７】
壁面緑化システム１は、図１に示すように、複数の壁面緑化ユニット１２と、これらの壁面緑化ユニット１２を支持する支持ラック２０とを備えて構成されている。
【００１８】
本実施形態では、複数の壁面緑化ユニットはｎ段（ｎは２以上の自然数）に積まれた後述の壁面緑化ユニット１２で構成されている。複数の壁面緑化ユニット１２は、説明の便宜上、最上段の壁面緑化ユニット１２から順に、壁面緑化ユニット１２−１、壁面緑化ユニット１２−２、壁面緑化ユニット１２−３・・・とも称し、最下段の壁面緑化ユニット１２を壁面緑化ユニット１２−ｎとも称す。壁面緑化ユニット１２の数（ｎ）は２以上２０以下の範囲であってもよい。とりわけ、壁面緑化ユニット１２の数（ｎ）は、５以上１５以下の範囲にあることが好ましく、８以上１２以下の範囲にあることがより好ましい。
【００１９】
支持ラック２０は、台座部２２と、一対の支柱２４と、管支持部２６とを備えて構成されている。台座部２２は、支持ラック２０が設置される床面や地面等に配置される。一対の支柱２４はいずれも台座部２２からＺ方向に延びる柱状体であり、Ｙ方向に並んでいる。各支柱２４には、Ｘ方向に沿って側面１０から離れる向きに延びる複数のユニット支持部２５が、所定間隔で配置されている。本実施形態において、一対の支柱２４には同数のユニット支持部２５が設けられ、同じ高さ位置（Ｚ方向における位置）に配置されている。管支持部２６は、一対の支柱２４の上端において支柱間に架けわたされており、Ｙ方向に延在する灌水管２７を支持する部分である。管支持部２６は、本実施形態では矩形枠状を有している。支持ラック２０には、台座部２２や支柱２４を覆い隠すように、化粧板２３、２８を取り付けることができる。
【００２０】
続いて、壁面緑化ユニット１２について、図２〜図４を参照しつつ説明する。
【００２１】
壁面緑化ユニット１２は、植栽基盤の一種であるロックウールシート１４と、表面被覆材１６と、植栽３０とを備えて構成されている。
【００２２】
ロックウールシート１４は、図２、３に示すように、Ｙ方向に沿って延びる直方体の外形を有している。ロックウールシート１４は、Ｘ方向において対面する側面１４ａ、１４ｂ、Ｚ方向において対面する上面１４ｃおよび下面１４ｄ、Ｙ方向において対面する１４ｅ、１４ｆを有する。以下の説明では、Ｘ方向において対面する側面１４ａ、１４ｂのうち、構造物の側面１０側とは反対の側の面１４ａを表面、側面１０側の面１４ｂを裏面とも称す。
【００２３】
ロックウールシート１４は、Ｘ方向に重ねられた板状の２枚のロックウールシート１４Ａ、１４Ｂで構成されている。ロックウールシート１４は、Ｚ方向長さＨ（高さ）が８０〜１９０ｍｍの範囲（一例として、１４０ｍｍ）となり、Ｘ方向長さＴ（厚さ）が６０〜１５０ｍｍの範囲（一例として、６０ｍｍ）となり、Ｙ方向長さＬ（長さ）が一例として６００ｍｍとなるように設計されている。ロックウールシート１４の高さＨは、より好ましくは９０〜１５０ｍｍの範囲であり、さらに好ましくは１００〜１３０ｍｍの範囲である。また、ロックウールシート１４の厚さＴは、より好ましくは６５〜１２０ｍｍの範囲であり、さらに好ましくは７０〜１００ｍｍの範囲である。なお、ロックウールシート１４の上記寸法は、ロックウールシートを、１００℃の温度条件下で２４時間乾燥させた後に測定したものを意味する。ロックウールシート１４は、２枚のシート１４Ａ、１４Ｂで構成されているが、必要に応じて１枚のシートや３枚以上のシートを積層して構成してもよい。
【００２４】
また、ロックウールシート１４は、９０〜３００ｋｇ／ｍ３の乾燥時密度を有する。乾燥時密度とは、ロックウールシートを、１００℃の温度条件下で２４時間乾燥させた後の密度である。ロックウールシート１４の乾燥時密度は、１００〜２５０ｋｇ／ｍ３の範囲にあることが好ましく、１１０〜２２０ｋｇ／ｍ３の範囲にあることがより好ましく、１２０〜２００ｋｇ／ｍ３の範囲にあることがさらに好ましく、１４０〜１８０ｋｇ／ｍ３の範囲にあることが特に好ましく、１６０〜１８０ｋｇ／ｍ３の範囲にあることが最も好ましい。
【００２５】
さらに、ロックウールシート１４は、単位体積あたりに保水することができる能力（保水能）を示す指標である保水量が０．４５〜０．８５（ｌ／ｌ）である。すなわち、ロックウールシート１４は１リットル当たり最大で０．４５〜０．８５リットルの水を保水可能である。保水量は、ロックウールシート１４と保水される水との体積割合（ｖｏｌ％）で示すこともできる。ロックウールシート１４の保水量は、０．５０〜０．８２ｌ／ｌの範囲にあることが好ましく、０．５５〜０．８０ｌ／ｌの範囲にあることがより好ましく、０．６０〜０．７５ｌ／ｌの範囲にあることがさらに好ましい。ロックウールシート１４の保水量は、（（Ｗ２−Ｗ１）／１０００）／（Ｌ×Ｈ×Ｔ／１０００）で表すことができ、ここで、Ｌ、Ｈ、Ｔはそれぞれ、上述したロックウールシート１４の長さ（ｃｍ）、高さ（ｃｍ）、厚さ（ｃｍ）であり、Ｗ１は１００℃の温度条件下で２４時間乾燥させた後のロックウールシート１４を重量（ｇ）であり、Ｗ２は上記乾燥させたロックウールシート１４に対してその体積（＝Ｌ×Ｈ×Ｔ）の２倍以上の水を散水ホース等で付与した後のロックウールシート１４の重量（ｇ）である。
【００２６】
ロックウールシート１４の表面１４ａには、穴部１５が設けられている。本実施形態では、４つの穴部１５がＹ方向に沿って等間隔で並んでいる。穴部１５は、ロックウールシート１４を貫通していないが、ロックウールシート１４を貫通して裏面１４ｂまで達するようにすることもできる。本実施形態において、穴部１５は円形開口および円形断面（Ｙ−Ｚ断面）を有しており、開口の直径φは一例として９０ｍｍである。穴部１５の開口形状やＹ−Ｚ断面形状は、円形に限らず、楕円形や多角形等であってもよい。
【００２７】
植栽基盤には、上述したロックウールシート１４以外の人工培地（たとえば、ポリエステル硬化培地、多孔質セラミックス培地等）を採用することもできる。
【００２８】
表面被覆材１６は、図２に示すようにロックウールシート１４の４つの側面１４ａ、１４ｂ、１４ｅ、１４ｆを囲むように設けられている。ロックウールシート１４の上面１４ｃおよび下面１４ｄは、表面被覆材１６に覆われておらず、表面被覆材１６から露出している。表面被覆材１６は、植栽３０のより安定な固定および壁面緑化ユニット１２の意匠性のさらなる向上に寄与する。表面被覆材１６としては、不織布、樹脂シート、繊維強化樹脂シート等を用いることができる。
【００２９】
表面被覆材１６は導水性を有することが好ましい。なお、導水性とは、室温（２０〜２５℃）で、垂直にした表面被覆材１６の下端を水に浸けた状態で、３０分間に８０ｍｍ以上、水を吸い上げる性能を有することを意味する。表面被覆材１６が導水性を有することで、ロックウールシート１４の下部又は下方から一度ロックウールシート１４外に排出された水分が表面被覆材１６を伝って上方に引き上げられ、ロックウールシート１４の上部に再度供給されることで水分の循環が促進される。また、表面被覆材１６には、ロックウールシート１４に設けられた穴部１５が露出するように、各穴部１５に対応する領域に開口１７を設けることができる。導水性を有する表面被覆材１６として、たとえば有機繊維製不織布が挙げられる。
【００３０】
植栽３０は、図４に示すように、表面被覆材１６の開口１７を介して、ロックウールシート１４の各穴部１５に収容される。植栽３０は、培地に植え付けられた低木や草花等の植物に限らず、培地を伴わない植物自体や、培地に植え付けられた後に通水可能な容器に収容された植物であってもよい。植栽３０には、土壌や人工軽量土壌、ロックウール等の培地を用いることができる。本実施形態では、植栽３０に用いる植物は同一種類の植物（たとえばタマシダ、イノモトソウ）であり、育成に必要な水分量等の育成条件が同じである。
【００３１】
次に、壁面緑化システム１における壁面緑化ユニット１２の配置について、図１および図５を参照しつつ説明する。
【００３２】
壁面緑化システム１において、複数の壁面緑化ユニット１２それぞれは、支持ラック２０の一対の支柱２４の間においてＹ方向に延びるように支持されているとともに、所定間隔ＤでＺ方向に並ぶように支持ラック２０に搭載されている。具体的には、ｎ個の壁面緑化ユニット１２−１、１２−２、・・・、１２−ｎが、ｎ段に等間隔で積まれている。壁面緑化ユニット１２間の間隔Ｄは５〜１２０ｍｍの範囲となるように設計されている。図５に示すように、上下に並ぶ壁面緑化ユニット１２において、上側の壁面緑化ユニット１２（たとえば、壁面緑化ユニット１２−１）のロックウールシート１４の下面１４ｄは、下側の壁面緑化ユニット１２（たとえば、壁面緑化ユニット１２−２）のロックウールシート１４の上面１４ｃと対面している。壁面緑化ユニット１２間の間隔Ｄは、１０〜８０ｍの範囲にあることが好ましく、１５〜５０ｍｍの範囲にあることがより好ましく、２０〜４０ｍｍの範囲にあることがさらに好ましい。
【００３３】
支持ラック２０に配置された壁面緑化ユニット１２には、最上段の壁面緑化ユニット１２−１の上方に位置する灌水管２７から水が供給される。灌水管２７は、図示しない給水タンクまたは水栓から延びており、灌水管２７の周側面には、図示しない給水口が設けられている。灌水管２７は、給水口を介して、最上段の壁面緑化ユニット１２−１に対して給水をおこなう。灌水管２７から供給された水は、最上段の壁面緑化ユニット１２−１の上面１４ｃからロックウールシート１４内に浸入し、ロックウールシート１４全体に浸透した後、下面１４ｄから浸出する。このとき、上面１４ｃから浸入した水はロックウールシート１４内を下方に向かって流れるが、下面１４ｄからすぐに浸出することなく、下面１４ｄにおいて堰き止められる。これは、下面１４ｄの下方に、ロックウールシート１４間の間隙（すなわち、空気層）が存在するためである。下面１４ｄにおいて堰き止められた水は、ロックウールシート１４内を上方に向かって吸い上げられて、ロックウールシート１４の上部にも十分な水が行き渡る。その結果、ロックウールシート１４内に満遍なく水が行き渡り、ロックウールシート１４に対して過不足のない水分量が供給される。ロックウールシート１４内に満遍なく水が行き渡ると、その後は、ロックウールシート１４の下面１４ｄから、水が自由落下により滴り落ちて、その下段の壁面緑化ユニット１２のロックウールシート１４の上面１４ｃに浸入する。複数段の壁面緑化ユニット１２は、各段において上記の浸入／浸出をおこなわれることで、全ての段におけるロックウールシート１４に満遍なく水が行き渡って実質的に同じ水分量に保たれる。
【００３４】
上述したとおり、壁面緑化システム１は、構造物の側面１０に設置され、かつ、構造物の側面１０に近接するとともにＺ方向に沿って配置されたｎ個の壁面緑化ユニット１２を備える壁面緑化システムであって、ｎ個の壁面緑化ユニット１２が、５〜１２０ｍｍの範囲で離間しており、各壁面緑化ユニット１２が、表面１４ａに穴部１５が設けられたロックウールシート１４と、ロックウールシート１４の穴部１５に収容された植栽３０とを有し、ロックウールシート１４が、Ｚ方向における長さＨ（高さ）が８０〜１９０ｍｍの範囲であり、Ｘ方向における長さＴ（厚さ）が６０〜１５０ｍｍの範囲であり、乾燥時密度が９０〜３００ｋｇ／ｍ３の範囲であり、１リットル当たり最大で０．４５〜０．８５リットルの水を保水することができ、Ｚ方向において隣り合う２つの壁面緑化ユニット１２のロックウールシート１４のうちの上側のロックウールシート１４の下面１４ｄから下側のロックウールシート１４の上面１４ｃまで自由落下で水が移動する。
【００３５】
発明者らは、壁面緑化システム１によれば、ｎ個のロックウールシート１４それぞれにおいて均一な育成環境を実現することができるとともに、高い施工性を有し、かつ、植栽３０を安定的に保持することができることを新たに見出した。
【００３６】
そして、このような広範囲に亘って均一な育成環境を実現することで、上述した実施形態のように同一種類の植物を側面１０の広範囲に亘って配置することができ、壁面緑化システム１によって緑化された壁面の美感が高められる。
【００３７】
発明者らは、以下に示す実施例をおこない、広範囲に亘って均一な育成環境を実現することができるとともに、高い施工性を有し、かつ、植栽を安定的に保持することができる壁面緑化システムについて評価した。
【実施例】
【００３８】
図６、７の表を参照しつつ、上述した壁面緑化システムの実施例および比較例を示し、壁面緑化システムの各特性について説明する。
【００３９】
図６、７の表それぞれには、植栽基盤の「種別」、「保水量（ｌ／ｌ）」、「乾燥時密度（ｋｇ／ｍ３）」、「高さ（ｍｍ）」、「厚さ（ｍｍ）」、植栽基盤の間隔Ｄに係る「植栽基盤間隙間（ｍｍ）」、植栽基盤の段数ｎに係る「植栽基盤積載段数」、植栽基盤に対する表面被覆材の被覆態様に係る「表面被覆材被覆態様」が示されている。また、図５、６の表それぞれには、評価結果として、「植物育成（上部）」、「植物育成（下部）」、「植栽保持安定性」および「施工性」が示されている。
【００４０】
ここで、「植物育成（上部）」とは、壁面緑化システムの上部の壁面緑化ユニット（上側２０％）における植物育成結果に係る評価項目である。その育成条件は、育成に比較的多量の水を要するイノモトソウを、屋内（温度条件は２０±５℃、日照条件は昼間の平均照度５００ルクス以上）において、４ヶ月間、週に１度の頻度の灌水とした。この評価項目において、「◎」とは、生育した植物の平均サイズが植栽したときの植物の平均サイズに比べて２０％超となったことを意味し、「○」とは、生育した植物の平均サイズが植栽したときの植物の平均サイズに比べて−２０％〜＋２０％となったことを意味し、「×」とは、生育した植物の平均サイズが植栽したときの植物の平均サイズに比べて−２０％より小さくなったことまたは枯れたことを意味する。「植物育成（下部）」とは、壁面緑化システムの上部の壁面緑化ユニット（下側２０％）における植物育成結果に係る評価項目である。その育成条件および「◎」「○」「×」の意味は、「植物育成（上部）」と同様である。
【００４１】
また、「植栽保持安定性」とは、植栽基盤の穴部に収容された植栽の保持安定性に係る評価項目である。この評価項目において、「◎」とは、植栽を穴部から引き抜くことが困難であることを意味し、「◎」とは、植栽を穴部から引き抜くことができることを意味し、「×」とは、植栽が自重により自然に垂れ下がることを意味する。
【００４２】
さらに、「施工性」とは、作業者が壁面緑化システムを施工する際の施工性に係る評価項目である。この評価項目において、「○」とは、作業者が一人で別途の治具を用いることなく壁面緑化システムを施工できることを意味し、「×」とは、作業者が一人で別途の治具を用いることなく壁面緑化システムを施工することができないことを意味する。
【００４３】
（実施例１）
実施例１では、植栽基盤として、保水量０．７１ｌ／ｌ、乾燥時密度１７０ｋｇ／ｍ３、高さ１２５ｍｍ、厚さ８０ｍｍのロックウールシート（ＲＷシート）を用い、植栽基板間隙間を２５ｍｍ、植栽基盤積載段数を１０段とした。表面被覆材として、有機繊維製不織布を植栽基盤の側面のみを囲うように設けた。
【００４４】
実施例１では、「植物育成（上部）」、「植物育成（下部）」、「植栽保持安定性」の評価項目がいずれも「◎」であり、「施工性」の評価項目も「○」であった。
【００４５】
このように実施例１に係る壁面緑化システムでは、上部の植栽基盤にも下部の植栽基盤にも均一な育成環境を実現することができるとともに、高い施工性を有し、かつ、植栽を安定的に保持することができる。
【００４６】
（実施例２）
実施例２では、植栽基盤として、保水量０．５６ｌ／ｌ、乾燥時密度１００ｋｇ／ｍ３、高さ１２５ｍｍ、厚さ８０ｍｍのロックウールシートを用い、植栽基板間隙間を２５ｍｍ、植栽基盤積載段数を１０段とした。表面被覆材として、有機繊維製不織布を植栽基盤の側面のみを囲うように設けた。
【００４７】
実施例２では、「植物育成（上部）」、「植物育成（下部）」の評価項目がいずれも「◎」であり、「植栽保持安定性」、「施工性」の評価項目も「○」であった。
【００４８】
このように実施例２に係る壁面緑化システムでも、上部の植栽基盤にも下部の植栽基盤にも均一な育成環境を実現することができるとともに、高い施工性を有し、かつ、植栽を安定的に保持することができる。乾燥時密度が１７０ｋｇ／ｍ３である実施例１のほうが、乾燥時密度１００ｋｇ／ｍ３である実施例２よりも植栽保持安定性が優れていた。
【００４９】
（実施例３）
実施例３では、植栽基盤として、保水量０．７１ｌ／ｌ、乾燥時密度１７０ｋｇ／ｍ３、高さ１２５ｍｍ、厚さ８０ｍｍのロックウールシートを用い、植栽基板間隙間を２５ｍｍ、植栽基盤積載段数を１０段とした。表面被覆材として、有機繊維製不織布を植栽基盤の上下面および側面の全てを覆うように設けた。
【００５０】
実施例３では、「植物育成（上部）」、「植物育成（下部）」、「施工性」の評価項目がいずれも「○」であり、「植栽保持安定性」の評価項目が「◎」であった。
【００５１】
このように実施例３に係る壁面緑化システムでも、上部の植栽基盤にも下部の植栽基盤にも均一な育成環境を実現することができるとともに、高い施工性を有し、かつ、植栽を安定的に保持することができる。表面被覆材が植栽基盤の側面のみを覆う実施例１のほうが、表面被覆材が植栽基盤の上下面および側面の全てを覆う実施例３よりも植物育成（上部および下部）に優れていた。
【００５２】
（実施例４）
実施例４では、植栽基盤として、保水量０．７１ｌ／ｌ、乾燥時密度１７０ｋｇ／ｍ３、高さ１２５ｍｍ、厚さ８０ｍｍのロックウールシートを用い、植栽基板間隙間を２５ｍｍ、植栽基盤積載段数を２５段とした。表面被覆材として、有機繊維製不織布を植栽基盤の側面のみを囲うように設けた。
【００５３】
実施例４では、「植物育成（上部）」、「植栽保持安定性」の評価項目がいずれも「◎」であり、「植物育成（下部）」、「施工性」の評価項目がいずれも「○」であった。
【００５４】
このように実施例４に係る壁面緑化システムでは、上部の植栽基盤にも下部の植栽基盤にも均一な育成環境を実現することができるとともに、高い施工性を有し、かつ、植栽を安定的に保持することができる。植栽基盤積載段数が１０段である実施例１のほうが、植栽基盤積載段数が２５段である実施例４よりも植物育成（下部）が優れていた。
【００５５】
（比較例１）
比較例１では、植栽基盤として、保水量０．７１ｌ／ｌ、乾燥時密度１７０ｋｇ／ｍ３、高さ１２５ｍｍ、厚さ８０ｍｍのロックウールシートを用い、植栽基板間隙間を２ｍｍ、植栽基盤積載段数を１０段とした。表面被覆材として、有機繊維製不織布を植栽基盤の側面のみを囲うように設けた。
【００５６】
比較例１では、「植物育成（上部）」の評価項目が「×」であった。比較例１では、植栽基板間隙間が２ｍｍであったため、その隙間が狭すぎることで空気層として機能せず、植栽基盤の下面において水が堰き止められることなく下側の植栽基盤に水が流れ、植栽基盤内に十分な水が保水されなかったためであると考えられる。
【００５７】
このように比較例１に係る壁面緑化システムでは、上部の植栽基盤と下部の植栽基盤とで均一な育成環境を実現することができなかった。
【００５８】
（比較例２）
比較例２では、植栽基盤として、保水量０．７１ｌ／ｌ、乾燥時密度１７０ｋｇ／ｍ３、高さ１２５ｍｍ、厚さ８０ｍｍのロックウールシートを用い、植栽基板間隙間を１３０ｍｍ、植栽基盤積載段数を１０段とした。表面被覆材として、有機繊維製不織布を植栽基盤の側面のみを囲うように設けた。
【００５９】
比較例２では、「植物育成（下部）」の評価項目が「×」であった。比較例２では、植栽基板間隙間が１３０ｍｍであったため、その隙間が広すぎることで隙間を自由落下する水の移動が風により妨げられ、下側の植栽基盤に十分な水が伝わらなかったためであると考えられる。
【００６０】
このように比較例２に係る壁面緑化システムでは、上部の植栽基盤と下部の植栽基盤とで均一な育成環境を実現することができなかった。
【００６１】
（比較例３）
比較例３では、植栽基盤として、保水量０．７１ｌ／ｌ、乾燥時密度１７０ｋｇ／ｍ３、高さ６０ｍｍ、厚さ８０ｍｍのロックウールシートを用い、植栽基板間隙間を２５ｍｍ、植栽基盤積載段数を１０段とした。表面被覆材として、有機繊維製不織布を植栽基盤の側面のみを囲うように設けた。
【００６２】
比較例３では、「植栽保持安定性」の評価項目が「×」であった。比較例３では、植栽基板の高さが６０ｍｍであったため、植栽基盤が植栽を十分に保持できなかった。
【００６３】
このように比較例３に係る壁面緑化システムでは、実用上十分な植栽保持安定性を実現することができなかった。
【００６４】
（比較例４）
比較例４では、植栽基盤として、保水量０．７１ｌ／ｌ、乾燥時密度１７０ｋｇ／ｍ３、高さ２００ｍｍ、厚さ８０ｍｍのロックウールシートを用い、植栽基板間隙間を２５ｍｍ、植栽基盤積載段数を１０段とした。表面被覆材として、有機繊維製不織布を植栽基盤の側面のみを囲うように設けた。
【００６５】
比較例４では、「植物育成（上部）」および「植物育成（下部）」の評価項目が「×」であった。比較例４では、植栽基板の高さが２００ｍｍであり、高さが高すぎるために、植栽基盤内に水が行き渡らずに植栽基盤が乾燥するためである。また、植栽基盤の高さが高すぎるため、植栽基盤内において上面まで水が吸い上がらないためである。
【００６６】
このように比較例４に係る壁面緑化システムでは、良好な育成環境の植栽基盤を実現することができなかった。
【００６７】
（比較例５）
比較例５では、植栽基盤として、保水量０．７１ｌ／ｌ、乾燥時密度１７０ｋｇ／ｍ３、高さ１２５ｍｍ、厚さ５０ｍｍのロックウールシートを用い、植栽基板間隙間を２５ｍｍ、植栽基盤積載段数を１０段とした。表面被覆材として、有機繊維製不織布を植栽基盤の側面のみを囲うように設けた。
【００６８】
比較例５では、「植栽保持安定性」の評価項目が「×」であった。比較例５では、植栽基板の厚さが５０ｍｍであり、植栽基板が薄すぎるため、植栽基盤が植栽を十分に保持できなかった。
【００６９】
このように比較例５に係る壁面緑化システムでは、実用上十分な植栽保持安定性を実現することができなかった。
【００７０】
（比較例６）
比較例６では、植栽基盤として、保水量０．７１ｌ／ｌ、乾燥時密度１７０ｋｇ／ｍ３、高さ１２５ｍｍ、厚さ１６０ｍｍのロックウールシートを用い、植栽基板間隙間を２５ｍｍ、植栽基盤積載段数を１０段とした。表面被覆材として、有機繊維製不織布を植栽基盤の側面のみを囲うように設けた。
【００７１】
比較例６では、「施工性」の評価項目が「×」であった。比較例６では、植栽基板の厚さが１６０ｍｍであり、植栽基盤が厚すぎて植栽基盤の重量が増したため、施工性が悪化した。
【００７２】
このように比較例６に係る壁面緑化システムでは、高い施工性を実現することができなかった。
【００７３】
（参考例１）
参考例１では、植栽基盤として、１つ（１段）のロックウールシートで評価をおこなった。参考例１におけるロックウールは、保水量０．７１ｌ／ｌ、乾燥時密度１７０ｋｇ／ｍ３、高さ２７５ｍｍ、厚さ８０ｍｍとした。また、表面被覆材は植栽基盤の側面のみを囲うように設けた。
【００７４】
参考例１では、「植物育成（上部）」、「施工性」の評価項目が「×」であった。参考例１では、実施例１における植栽基盤２段分の高さ（すなわち、１２５ｍｍ／段×２段＋２５ｍｍ隙間）の植栽基盤を用いたところ、植栽基盤の高さが高すぎたために、植栽基盤内に水が行き渡らずに植栽基盤が乾燥した。また、植栽基盤の高さが高すぎるため、植栽基盤内において上面まで水が吸い上がらなかった。さらに、植栽基盤が高くなったことで植栽基盤の重量が増し、施工性が劣化した。
【００７５】
このように参考例１に係る壁面緑化システムでは、植栽基盤における良好な育成環境および高い施工性を実現することができなかった。
【００７６】
以上で示した実施例から、複数の壁面緑化ユニット１２が、５〜１２０ｍｍの範囲で離間しており、各壁面緑化ユニット１２が、表面１４ａに穴部１５が設けられたロックウールシート１４（植栽基盤）と、ロックウールシート１４の穴部１５に収容された植栽３０とを有し、ロックウールシート１４が、Ｚ方向における長さＨ（高さ）が８０〜１９０ｍｍの範囲であり、Ｘ方向における長さＴ（厚さ）が６０〜１５０ｍｍの範囲であり、乾燥時密度が９０〜１９０ｋｇ／ｍ３の範囲であり、１リットル当たり最大で０．４５〜０．８５リットルの水を保水することができ、Ｚ方向において隣り合う２つの壁面緑化ユニット１２のロックウールシート１４のうちの上側のロックウールシート１４の下面１４ｄから下側のロックウールシート１４の上面１４ｃまで自由落下で水が移動する壁面緑化システムによって、広範囲に亘って均一な育成環境を実現することができるとともに、高い施工性を有し、かつ、植栽を安定的に保持することができることが確認された。
【００７７】
以上、本発明の一実施形態について説明したが、本発明は上記実施形態に限定されず、各請求項に記載した要旨を変更しない範囲で変形し、又は他に適用してもよい。
【００７８】
たとえば、表面被覆材は、植栽基盤の全ての面（上下面および側面）を覆う態様であってもよい。ただし、植栽基盤の上面への水の自由落下および植栽基盤の下面からの水の自由落下を阻害しない観点から、植栽基盤の上面および下面は表面被覆材で覆わないことが好ましい。
【００７９】
また、壁面緑化ユニットの数および段数は、２０以下とすることができる。壁面緑化ユニットの数および段数を２０以下とすることで、最下段の壁面緑化ユニットまで確実にかつ十分に給水をおこなうことができる。
【００８０】
さらに、植栽基盤の表面に設けられた穴部は、少なくとも１つあればよく、４つに限らず適宜増減することができる。
【００８１】
また、壁面緑化システムにおいて、壁面緑化ユニットを支持する構成は、上述した支持ラックを用いた構成に限らず、適宜に変更することができる。
【符号の説明】
【００８２】
１…壁面緑化システム、１０…側面、１２…壁面緑化ユニット、１４…ロックウールシート、１５…穴部、１６…表面被覆材、３０…植栽、２７…灌水管。
【図１】
2019017290.tif 000003
【図２】
2019017290.tif 000004
【図３】
2019017290.tif 000005
【図４】
2019017290.tif 000006
【図５】
2019017290.tif 000007
【図６】
2019017290.tif 000008
【図７】
2019017290.tif 000009